(57)【要約】  個人使用アイテムのための滑り止め用装置は、個人使用アイテム（１）の表面（１０）に接続することが可能な第１面と、上記第１面の反対側にあり、滑り止めの特性をもつ第２面とを有しており、弾性材料からなる本体（２０）を備えている。本体（２０）は、平坦バンド（２１）を備えている。平坦バンド（２１）は、個人使用アイテムの表面（１０）に接着されると、上記表面（１０）上に、補助部材（３）を任意に収納できるハウジングとしての、少なくとも１つの表面部（１１）が形成される。なお、表面部（１１）は、少なくともその一部を、平坦バンド（２１）によって取り囲まれている。  上記滑り止め装置は、該滑り止め装置に接続される補助部材に対して非常に万能である。上記補助部材は、上記滑り止め装置により打撃および摩擦から保護されるとともに、該滑り止め装置の滑り止め機能には影響を及ぼさない。上記滑り止め装置の製造方法もまた、記載されている通りである。
2007526832.tif 000002
【特許請求の範囲】
【請求項１】
個人使用アイテムの滑り止め用装置であって、
弾性材料からなる本体（２０）を備え、
上記本体（２０）は、個人使用アイテム（１）の表面（１０）に接続することが可能な第１面と、上記第１面の反対側にあり、滑り止めの特性をもつ第２面とを有しており、
上記本体は、平坦バンド（２１）を備え、
上記平坦バンド（２１）は、
上記個人使用アイテムの表面（１０）に接着されると、上記表面（１０）上に、補助部材（３）を任意に収納できるハウジングとしての、少なくとも１つの表面部（１１）が形成され、
上記表面部（１１）は、少なくともその一部を、上記平坦バンド（２１）によって取り囲まれていることを特徴とする滑り止め装置。
【請求項２】
上記平坦バンド（２１）は、略一定の幅をもっていることを特徴とする請求項１に記載の滑り止め装置。
【請求項３】
上記平坦バンド（２１）は、閉じた形状をなし、個人使用アイテム（１）の表面部（１１）を完全に取り囲んでいることを特徴とする請求項１または２に記載の滑り止め装置。
【請求項４】
上記本体（２０）の第２面は、上記本体（２０）の構成要素として形成されている複数の突出部（２２）を備えていることを特徴とする請求項１〜３に記載の何れか１項に記載の滑り止め装置。
【請求項５】
上記滑り止め装置は、接続手段（４）を備え、
上記接続手段（４）は、上記本体（２０）の第１面を、上記個人使用アイテムの表面（１０）に接続することを特徴とする請求項１〜４の何れか１項に記載の滑り止め装置。
【請求項６】
上記接続手段は、細片（４）を備えており、
上記細片（４）は、少なくとも一方の面がのり付けされており、取り外し可能なシートによって保護されていることを特徴とする請求項５に記載の滑り止め装置。
【請求項７】
上記細片（４）は、上記平坦バンド（２１）とほぼ同一の形状をなしていることを特徴とする請求項６に記載の滑り止め装置。
【請求項８】
上記細片（４）は、上記平坦バンド（２１）と、上記個人使用アイテムの表面部（１１）とを取り囲み、
上記表面部（１１）は、上記平坦バンド（２１）によって取り囲まれていることを特徴とする請求項６に記載の滑り止め装置。
【請求項９】
上記細片（４）は、両面がのりつきであることを特徴とする請求項６〜８の何れか１項に記載の滑り止め装置。
【請求項１０】
上記細片（４）は、互いに異なる接着性をもつ複数の領域を有していることを特徴とする請求項９に記載の滑り止め装置。
【請求項１１】
上記滑り止め装置には、少なくとも１つの上記補助部材（３）が備えられ、
上記補助部材（３）は、
上記平坦バンド（２１）によって取り囲まれている、上記個人使用アイテムの表面（１１）に収納されるとともに、
装飾用または情報伝達用の印刷済画像、または、有益な画像と、電装品と、広告物と、照明、音響または測定部材とから選択されていることを特徴とする請求項１〜１０の何れかに１項に記載の滑り止め装置。
【請求項１２】
上記補助部材（３）は、コーティング材（３２）を有していることを特徴とする請求項１１に記載の滑り止め装置。
【請求項１３】
上記補助部材（３）の上記コーティング材（３２）は、交互に滑り止めの特性をもつことを特徴とする請求項１２に記載の滑り止め用装置。
【請求項１４】
上記補助部材（３）は、上記細片（４）に接続され、
上記細片（４）は、上記平坦バンド（２１）に取り囲まれている、上記個人使用アイテム（１）の表面部（１１）内にあることを特徴とする請求項８および請求項１１〜１３の何れか１項に記載の滑り止め用装置。
【請求項１５】
上記個人使用アイテムに一体化され、脱着できないように上記個人使用アイテムの支持面の一部をなすことを特徴とする請求項１〜１４の何れか１項に記載の滑り止め用装置。
【請求項１６】
ローラを用いず、水中で射出成形を用いる形式の、個人使用アイテムの滑り止め用装置の製造方法であって、
内部に鋳型を有する射出プレスを閉じる工程と、
所望の着色材とともに、粒状の熱可塑性材料を、各供給ホッパを通過させて回転装置に注入する工程と、
注入された上記材料を溶解するために、上記回転装置の円筒部を熱する工程と、
対応する上記鋳型を満たすまで上記材料を上記射出プレスに注入するために、上記回転装置を、低逆圧で高速回転させる工程と、
上記プレス内部を循環する流体の冷却作用により、上記プレスに注入された上記材料を冷却する工程と、
上記プレスを開き、
次に上記その内部の鋳型を開き、
圧痕の底部の駆動手段と組み合わせて排出装置を作動させることで、重力によって対応する収集ホッパへと部品を引き込む工程と、
冷却された鋳物片を排出する工程とを有し、
滑り止め用材料のシートまたは細片を、続いて型抜きすることで、内部に空洞を有する滑り止め用装置を得ることを特徴とする請求項１〜１５の何れか１項に記載の個人使用アイテムの滑り止め用装置の製造方法。
を特徴とする
【請求項１７】
得られた上記細片またはシートの大きさは、型抜きされて得られる滑り止め用装置の大きさよりも大きいことを特徴とする請求項１６に記載の個人使用アイテムの滑り止め用装置の製造方法。
【発明の詳細な説明】
【発明の詳細な説明】
【０００１】
本発明は、個人用アイテムの表面に接続することが可能な第１面と、第１面とは反対側にあり、滑り止めの特性をもつ第２面とを有する、弾性材料からなる本体を備えている個人用アイテムの滑り止め用装置に関する。
【０００２】
〔背景技術〕
従来から、携帯電話、ノート、書類用フォルダー、電子手帳、コースター、写真たて、リモコン等のさまざまな個人用アイテムが存在する。これらは、使用者が持ち運ぶ、または、使用者とともに持ち運ぶことができるものである。また、これらは、テーブル、家具、カウンター、自動車のダッシュボード等に置くことができるものである。特に、電子機器等の、滑らかで堅い表面をもつ小さい物体の場合、該表面が水平でない、該物体が圧力や打撃を受ける、その他、該表面が動いているという何れかの理由から、該物体は、支持体の表面から滑り落ちる危険性がある。
【０００３】
一方、従来から、各消費者の電話機、システム手帳またはノートを、接着剤を含め、写真、照明、音響装置等によりカスタマイズすることを可能にする装飾要素および補助要素に対する消費者からの需要がある。
【０００４】
この分野において、国際特許番号ＷＯ０１／８７５８１では、携帯電話等の個人用アイテムを思わず滑らせてしまうことを防止し、かつ、装置自身に装飾でき、長持ちさせ、個人用としての要素を組み込むという２つの機能を満たす装置が開示されている。この特許製品は、近年、「ｐｉｕｎｃｈ」という名で市場に出ている。加えて、上述の国際出願は、上記装置の製造方法も開示している。
【０００５】
しかしながら、「ｐｉｕｎｃｈ」は、市場でよく売れているけれども、修正または防止の必要性があるという点でいくつかの制限がある。
【０００６】
まず、「ｐｉｕｎｃｈ」は、「ｐｉｕｎｃｈ」自身の材質に装飾を形成するためには、さらに特定の工程を必要とする。そのため、「ｐｉｕｎｃｈ」は、装飾的効果の観点から見ると、他の要素を含めず、画像だけを結合させるとしても、あまり万能であるとは言えない。上記装飾的要素は、使い捨ての接着剤を用いて、取り除けないように装置に接着している。そのため、装置全体を取り替えることなく、「ｐｉｕｎｃｈ」を必要に応じて変形させることは困難である。
【０００７】
さらに、装置の材質に画像をシルクスクリーンで印刷することは、非常にコストがかかり、かつ、望ましい摩擦に対する抵抗力が得られない。また、上述したシルクスクリーンによる印刷または装飾は、部分的または完全に装置の滑り止め特性を取り除いてしまう。
【０００８】
〔発明の開示〕
本発明の主な目的は、既に説明した滑り止め機能を満足するだけでなく、用途が広い、個人アイテムのための滑り止め装置を提供することである。そして、この滑り止め装置を一体成形したり取り付けたりすることで、異なるタイプの装飾的要素、または、補助的な役割を有する他の要素は、滑り止めの品質および装飾機能の両方を担保することができるので、製品に大変な価値を与えることができる。
【０００９】
この目的に従って、本発明の装置は、本体が平坦なバンドで構成されることにより特徴付けられ、上記バンドは、個人使用アイテムの表面に接着されることにより形成される。
【００１０】
その表面の少なくとも一部は、補助部材を収納するために用いられるものであり、バンドによって部分的に囲まれている。装置は多数の形状（幾何学形状、数、文字等）を有してもよい。
【００１１】
これらの特徴を具備することで、実質的にあらゆるタイプのうすい厚みを有する補助部材、例えば、写真、電気素子、光学装置、時計やそれに類するものを、製造過程を大きく制約することなく、上記装置と連結することができる。補助部材は個人アイテムの表面に構成され、バンドにより囲まれており、滑り止め装置の美的な構成として形成され、強打や摩擦から保護され、そして同時にこの装置の滑り止め機能に影響を与えない。
【００１２】
その上、補助部材は、本体の材料の上に印刷されないので、より良いコスト効果と品質を得ることができる。これにより、構成要素は平行したプロセスで生産されることにより納期を縮めることができる。
【００１３】
ある実施形態においては、細片は実質的に一定の幅を持ち、上記バンドは閉じられていても、閉じられていなくても良い。
【００１４】
また他の実施形態によれば、このバンドは閉じた構成を有し、それにより個人使用アイテムの表面は完全に囲まれ、よりよい保護が達成される。
【００１５】
本体の第２面は、本体の構成要素として複数の突出部が形成されていることが望ましい。この突出部により、滑り止め機能が向上され、手触りがよい装置の表面が供給される。
この装置は、個人使用アイテムの表面と、本体の第１面とを接続する接続手段を有していることが好ましい。
【００１６】
上記接続手段は、好ましくは、少なくとも一つの側面に、のりがついていて、取り外し可能なシートにより保護されている細片から構成される。こののりづけされた細片は、ゴム系の接着剤を用いていることが好ましい。
【００１７】
上記細片は、上記バンドの形状と実質同一の形状を有していてもよい。あるいは、上記細片は、バンドと、このバンドに囲まれている個人使用アイテムの表面部とを両方とも包み込むことも可能である。
【００１８】
また、第２の変形例では、この装置が市場に出る前に、または、個人使用アイテムに連結される前に、細片に補助部材を接着することが可能である。このように、異なる複数の補助部材を変更することが可能である。
【００１９】
上記細片は、好ましくは両側面にのりがついていることが好ましい。
【００２０】
ある実施形態では、上記細片は、互いに異なる接着特性を有する複数の領域を有している。
【００２１】
また、ある実施形態では、この装置は少なくとも、このバンドにより囲まれた個人使用アイテムの表面部に、この装置に関連する補助部材が収納される。そして、上記補助部材は、装飾用または情報伝達用の印刷済画像、または、有益な画像と、電装品と、広告物と、照明、音響または測定部材とから選択される。
【００２２】
上記補助部材は、この装置に関連づけられるものを変更することができ、その結果、上記装置の滑り止め特性を失うことなく上記装置自体の上に編入され、有用性を付加して使用者に供給することができる。
【００２３】
上記補助部材はコーティング材を有することが好ましい。コーティング材は、滑り止め機能を交互に有するとともに、補助部材を保護する機能も有する。
【００２４】
上記バンドと上記バンドにより囲まれた表面部の両方を囲んでいる細片から、上記装置が構成される場合、上記補助部材は上記バンドにより囲まれている上記個人使用アイテムの表面の細片に上記補助部材は連結されることが可能である。
【００２５】
さらに、滑り止め装置は、個人使用アイテムの支持面に一体化されてもよい。脱着できない態様で上記アイテムの一部に形成することで、滑り止め装置の製造時から、個人使用アイテムに上記滑り止め装置を取り入れてもよい。
【００２６】
本発明の第二の目的は、上述の滑り止め装置の製造方法を提供することである。本発明の製造方法は、国際特許公報ＷＯ０１／８７５８１に公開された特許請求の範囲の各工程の大部分と共通である。
【００２７】
上記製造方法は、ローラを用いず、水中で射出成形を用いる形式であって、すでに形成された熱可塑性部材を、内部に空洞の収納部を有する平坦バンドにより形成される滑り止め装置として使用するのに好適な特徴を有するように形成することができる。
【００２８】
本発明の製造方法は、
内部に鋳型を有する射出プレスを閉じる工程と、
所望の着色材とともに、粒状の熱可塑性材料を、各供給ホッパを通過させて回転装置に注入する工程と、
注入された上記材料を溶解するために、上記回転装置の円筒部を熱する工程と、
対応する上記鋳型を満たすまで上記材料を上記射出プレスに注入するために、上記回転装置を、低逆圧で高速回転させる工程と、
上記プレス内部を循環する流体の冷却作用により、上記プレスに注入された上記材料を冷却する工程と、
上記プレスを開き、
次に上記その内部の鋳型を開き、
圧痕の底部の駆動手段と組み合わせて排出装置を作動させることで、重力によって対応する収集ホッパへと部品を引き込む工程と
冷却された鋳物片を排出する工程とを有している。
【００２９】
そして、大きな寸法、特にこの滑り止め装置より大きな寸法の細片または滑り止め材料のシートを得た後、前述の工程に加えて、上記細片を型抜きすることで、内部に空洞を有する滑り止め装置を得ることができる。この滑り止め装置はいろいろな形状で設計されることが可能である。
【００３０】
さらに、上記滑り止め装置については、上述の製造方法に続いて、異なる形状や寸法の中空鋳型を用いることが可能である。
【００３１】
さらに、上述の製造方法に加え、滑り止め装置の滑らかな側面に接着剤を塗布してもよい。
【００３２】
〔実施の形態〕
図１は、本発明の一実施形態に係る滑り止め装置２が、例えば、携帯電話等の個人使用アイテム１の表面１０上に接続されていることを示す概略図である。
【００３３】
滑り止め装置２は、熱可塑性弾性材料から構成された本体２０を備えている。上記熱可塑性弾性材料としては、例えば、ポリプロピレンおよび弾性ゴムフィルターを備えたホモポリマーが用いられる。これは、滑り止め装置２が個人使用アイテム１に設けられたとき、個人使用アイテム１がすべることを防止するのに十分な滑り止め特性を有している。本体２０は、個人使用アイテム１に接着させる側面と、滑り止めのための側面とを有している。
【００３４】
本体２０は、上述した国際特許公報ＷＯ０１／８７５８１に記載された方法と同様の射出成型により製造することができる。また、本体２０は、コストを削減するために、手動で射出することにより形成された大きな部品を、後で型抜きすることにより成型することもできる。
【００３５】
本体２０は、ほぼ均一な幅を有する平坦バンド２１から構成されており、閉じた形状（ここでは、丸い角を有した長方形）となるように形成されている。ここで、平坦バンド２１は、平坦バンド２１に完全に囲まれている個人使用アイテム１の表面１０を表面部１１として区別している。この表面部１１は、滑り止め装置２に結合され、本体２０により保護される補助部材３を任意に収容する。
【００３６】
補助部材３は、装飾的な要素か広告的な要素かのどちらかであればよい。補助部材３としては、例えば、写真または照明装置や、時計または温度計のような実用的な公益性を有したものや、表示装置、チップ、太陽電池のようなさまざまな磁気的または電気的な構成要素や、適したサイズのその他の要素等が挙げられる。補助部材３は、平坦バンド２１により区切られる空洞または表面部と同一の大きさを有することが可能であるが、以下の例に示すように、平坦バンド２１により区切られる空洞または表面部より小さくてもよい。
【００３７】
図に示すように、本体２０および補助部材３は、略平面状である。１〜１．５ｍｍの厚みを有する本体２０は、多くのアプリケーションに適用することができる。
【００３８】
滑り止め装置２の大きさおよび形状は変化してもよく、図１に示すように、平坦バンド２１は閉じられて形成されているが、平坦バンドは、連続した湾曲部を有し、表面部１１および補助部材３を部分的にだけ囲むように、一端において開いた構成で形成されていてもよい。また、滑り止め装置２は、例えば、１つ以上の表面部１１に区分し、例えば、１つ以上の補助部材３を収容するように配置してもかまわない。滑り止め装置２の形状およびサイズは、個人使用アイテム１に大いに依存する。また、個人使用アイテム１に結合する補助部材３も同様である。
【００３９】
個人使用アイテム１は、滑り止め装置２の接続面に装飾的な要素（図示しない）を備える必要がある。それにより、個人使用アイテム１の表面の装飾を、何も設けられていない表面部１１から認識できるように、表面部１１に補助部材３を導入しないことが可能となる。
【００４０】
図２に示すのは、滑り止め装置２をより詳細に示した拡大した断面図である。理解しやすいように他の部材に対して誇張された図２に示された上記装置のいくつかの寸法をさらに示す必要がある。従って、説明されたこの装置は実際の寸法を示す必要はない。
【００４１】
図２に示されるように、この装置の滑り止め特性を強化するために、本体２０に形成されている平坦バンド２１は、その上面または側面に多数の突出部２２が設けられている。
【００４２】
個人使用アイテム１に平坦バンド２１を接続するために、滑り止め装置２は、少なくとも個人使用アイテム１に接着するべき面に、自動接着性を有する細片４を備えている。図では、滑り止め装置２は、すでに個人使用アイテム１に接着している状態で示されているので記載されていないが、細片４は、取り外し可能なシートにより常に保護されている。細片４は、両面がのり付けされていてもよく、使用者が細片４を本体２０および個人使用アイテム１の両方に接着することが可能であり、または装置製造過程の間に細片４を本体２０に接着することも可能である。
【００４３】
図２に示す細片４は、平坦バンド２１と同様の形状である。また、平坦バンド２１により区切られる個人使用アイテム１の表面部１１は覆われずに残り、補助部材３は、細片３１のような、それ自身の接着手段により接続される。
【００４４】
しかしながら、実施の形態の変形例において、平坦バンド２１および表面部１１の両方を取り囲む細片４を備えることが可能であり、補助部材３は細片４自体に接着される。この場合、細片４は両面がのり付けされている。製造工程において、細片４に接続された補助部材３は、補助部材３と一緒に滑り止め装置２の組み合わせとして販売される。また、装置２は、２つの利用可能な面がそれぞれ取り外し可能なシートによって保護されている細片４に予め接着された状態で販売してもよい。この場合、使用者は、個人使用アイテム１の表面部１１と一致する細片４の領域を保護するシートを取り除き、特定の補助部材３を接着させる。
【００４５】
細片４の中心部分に、補助部材３を接着させずに組み立てることも可能である。そして、補助部材３の粘着性細片３１は、細片４に補助部材３を接着させるために使用される。
【００４６】
最終的に、粘着性細片４に関しては、細片４が、互いに異なる接着性を有する複数の領域を備えることに注意しなければならない。例えば、細片４から平坦バンド２１を取り除くよりも、個人使用アイテム１から、細片４を含む、装置２全体を取り除くことがより容易である。また、それから平坦バンド２１をはずすよりも、補助部材３をはずす方がより容易である。
【００４７】
場合によって、導入される要素が、該要素が適当に機能するように、特定の方法により置かなければならないことを考慮すると、接着剤は透明である必要がある。したがって、上記要素は、上記接着剤を介して見る必要がある。
【００４８】
補助部材３は、例えば、ポリウレタンエナメルなどのコーティング材３２を備えていてもよい（図２）。このコーティング材３２は、起こりうる摩擦による損傷を防止するために、部材３を保護し、その表面に滑り止めとしての機能を与えることも可能である。そして、補助部材３は、支持表面と接触する。
【００４９】
補助部材３のコーティング材３２は、気温約２５℃、湿度５０％以下で行われる工程の方法によって形成される。まず、ポリウレタンと触媒の混合物が、ノズルにより補助部材３の表面に塗布される。そして、上記混合物がジェル状態になるまで１時間待ち、５０℃〜６０℃のオーブンで２時間乾燥させ、乾燥または重合させるために２４時間待つ。
【００５０】
本体２０は、一度成形されるとともに細片４が備えられ、そして、補助部材３にコーティング材３２が設けられると、本体２０および補助部材３は、上述した方法と異なった方法で結合される。
【００５１】
本発明に係る滑り止め装置の特定の実施形態を記載したが、当業者は、特定のアプリケーションの必要に応じて、本体２０の形状、比率およびサイズにおいて、個々に変形および修正を加えてもよい。また、従属請求項により保護される範囲から逸脱することがないように、上述した特徴部分を、他の技術的に同等な特徴部分と置き換えてもよい。
【００５２】
滑り止め装置の製造過程の特徴は、射出により大きな細片またはシートを得た後、ダイの形状を有した中空の滑り止め装置を得るために、上記細片を型抜きすることである。
【００５３】
本発明に係る上記装置は、複数のアイテムと補助要素が連結されることが可能であり、いろいろな要素を、本発明の目的に適合した使用方法に適合することが可能であり、これまで言及してきた本発明の目的の一つの例に必ずしも限定されないことをは特にいうまでもない。
【図面の簡単な説明】
【００５４】
【図１】図１は、本発明の実施形態に係る滑り止め装置を接続している個人使用アイテムの概略斜視図である。
【図２】図２は、図１に示される装置の鉛直方向に沿った断面図である。
【図１】
2007526832.tif 000003
【図２】
2007526832.tif 000004
【国際調査報告】
2007526832.tif 000005
2007526832.tif 000006
2007526832.tif 000007
2007526832.tif 000008
2007526832.tif 000009
2007526832.tif 000010